【事件の表示】
　特許第２７２０３０２号に関する訂正審判事件について、次のとおり審決する。
【結　論】
　特許第２７２０３０２号に係る明細書を本件審判請求書に添付された訂正明細書のとおり訂正することを認める。
【理　由】
１．本件審判請求の要旨は、特許第２７２０３０２号発明（昭和６２年５月２７日出願の特願昭６２−１３００８６号の一部を新たな特許出願とした特願平６−１１１３４６号の一部を更に新たな特許出願としたもの）の明細書を本件審判請求書に添付された訂正明細書のとおり、すなわち下記（１）〜（３）のとおり訂正することを求めるというものである。
（１）訂正事項ａ
　特許請求の範囲の請求項１について、
「遊技媒体を用いて遊技を行なう複数の遊技装置と、これらの遊技装置と伝送手段により通信可能に構成された管理装置とからなる遊技設備において、上記遊技装置は、当遊遊技装置においてアトランダムに発生する遊技情報の収集、演算を行なう制御手段と、上記遊技情報を上記管理装置が有意な情報として把握可能な所定間隔で定期的に上記管理装置へ送信するデータ送信手段とを備え、上記管理装置は、上記遊技装置の遊技情報をそれぞれの遊技装置に対応して記憶する記憶手段と、上記遊技装置との通信状態を確認するための通信状態確認信号を上記伝送手段を介して各遊技装置に送信し当該通信状態確認信号に対する応答信号の内容もしくは応答信号の有無に基づいて通信状態を検査する通信状態検査手段とを備え、上記通信状態検査手段の検査結果に基づいて上記遊技装置からの遊技情報を受信可能な状態へ移行するように構成されていることを特徴とする遊技設備。」とあるのを、
「遊技媒体を用いて遊技を行なう複数の遊技装置と、これらの遊技装置と伝送手段により通信可能に構成された管理装置とからなる遊技設備において、上記遊技装置は、当該遊技装置においてアトランダムに発生する遊技情報の収集、演算を行なう制御手段と、上記遊技情報を上記管理装置が有意な情報として把握可能な所定間隔で定期的に上記管理装置へ送信するデータ送信手段とを備え、上記管理装置は、上記遊技装置の遊技情報をそれぞれの遊技装置に対応して記憶する記憶手段と、上記遊技装置との通信状態を確認するための通信状態確認信号を上記伝送手段を介して各遊技装置に送信し当該通信状態確認信号に対する応答信号の内容もしくは応答信号の有無に基づいて通信状態を検査する通信状態検査手段とを備え、上記通信状態検査手段の検査結果に基づいて上記遊技装置からの遊技情報を受信可能な状態へ移行するように構成されていることを特徴とする遊技設備。」と訂正する。
（２）訂正事項ｂ
【００１１】に、
「【課題を解決するための手段】
　本発明は、遊技媒体（遊技球）を用いて遊技を行なう複数の遊技装置（例えばパチンコ機１００）と、これらの遊技装置と伝送手段により通信可能に構成された管理装置（４００）とからなる遊技設備において、上記遊技装置は、当遊遊技装置においてアトランダムに発生する遊技情報の収集、演算を行なう制御手段（例えばユニットコントローラ１９０）と、上記遊技情報を上記管理装置が有意な情報として把握可能な所定間隔で定期的に上記管理装置へ送信するデータ送信手段（例えばデータ伝送コントローラ５５１）とを備え、上記管理装置は、上記遊技装置の遊技情報をそれぞれの遊技装置に対応して記憶する記憶手段（例えば主記憶装置Ｍ−ＭＥＭ内の力ードファイルＦＬ３）と、上記遊技装置との通信状態を確認するための通信状態確認信号を上記伝送手段を介して各遊技装置に送信し当該通信状態確認信号に対する応答信号の内容もしくは応答信号の有無に基づいて通信状態を検査する通信状態検査手段（回線テスト処理：図２８，図２９参照）とを備え、上記通信状態検査手段の検査結果に基づいて上記遊技装置からの遊技情報を受信可能な状態へ移行するように構成したものである。」とあるのを、
「【課題を解決するための手段】
　本発明は、遊技媒体（遊技球）を用いて遊技を行なう複数の遊技装置（例えばパチンコ機１００）と、これらの遊技装置と伝送手段により通信可能に構成された管理装置（４００）とからなる遊技設備において、上記遊技装置は、当該遊技装置においてアトランダムに発生する遊技情報の収集、演算を行なう制御手段（例えばユニットコントローラ１９０）と、上記遊技情報を上記管理装置が有意な情報として把握可能な所定間隔で定期的に上記管理装置へ送信するデータ送信手段（例えばデータ伝送コントローラ５５１）とを備え、上記管理装置は、上記遊技装置の遊技情報をそれぞれの遊技装置に対応して記憶する記憶手段（例えば主記憶装置Ｍ−ＭＥＭ内のカードファイルＦＬ３）と、上記遊技装置との通信状態を確認するための通信状態確認信号を上記伝送手段を介して各遊技装置に送信し当該通信状態確認信号に対する応答信号の内容もしくは応答信号の有無に基づいて通信状態を検査する通信状態検査手段（回線テスト処理：図２８，図２９参照）とを備え、上記通信状態検査手段の検査結果に基づいて上記遊技装置からの遊技情報を受信可能な状態へ移行するように構成したものである。」と訂正する。
（３）訂正事項ｃ
【０３３１】に、
「【発明の効果】
　以上説明したように、この発明は、遊技媒体を用いて遊技を行なう複数の遊技装置と、これらの遊技装置と伝送手段により通信可能に構成された管理装置とからなる遊技設備において、上記遊技装置は、当遊遊技装置においてアトランダムに発生する遊技情報の収集、演算を行なう制御手段と、上記遊技情報を上記管理装置が有意な情報として把握可能な所定間隔で定期的に上記管理装置へ送信するデータ送信手段とを備え、上記管理装置は、上記遊技装置の遊技情報をそれぞれの遊技装置に対応して記憶する記憶手段と、上記遊技装置との通信状態を確認するための通信状態確認信号を上記伝送手段を介して各遊技装置に送信し当該通信状態確認信号に対する応答信号の内容もしくは応答信号の有無に基づいて通信状態を検査する通信状態検査手段とを備え、上記通信状態検査手段の検査結果に基づいて上記遊技装置からの遊技情報を受信可能な状態へ移行するように構成されてなるので、遊技装置と管理装置との間の通信状態を検査することによって正確な通信状態を把握し、通信状態の検査結果に基づいて管理装置を遊技装置からの遊技情報等を受信可能な状態へ移行させることができるようになるという効果がある。」とあるのを、
「【発明の効果】
　以上説明したように、この発明は、遊技媒体を用いて遊技を行なう複数の遊技装置と、これらの遊技装置と伝送手段により通信可能に構成された管理装置とからなる遊技設備において、上記遊技装置は、当該遊技装置においてアトランダムに発生する遊技情報の収集、演算を行なう制御手段と、上記遊技情報を上記管理装置が有意な情報として把握可能な所定間隔で定期的に上記管理装置へ送信するデータ送信手段とを備え、上記管理装置は、上記遊技装置の遊技情報をそれぞれの遊技装置に対応して記憶する記憶手段と、上記遊技装置との通信状態を確認するための通信状態確認信号を上記伝送手段を介して各遊技装置に送信し当該通信状態確認信号に対する応答信号の内容もしくは応答信号の有無に基づいて通信状態を検査する通信状態検査手段とを備え、上記通信状態検査手段の検査結果に基づいて上記遊技装置からの遊技情報を受信可能な状態へ移行するように構成されてなるので、遊技装置と管理装置との間の通信状態を検査することによって正確な通信状態を把握し、通信状態の検査結果に基づいて管理装置を遊技装置からの遊技情報等を受信可能な状態へ移行させることができるようになるという効果がある。」と訂正する。
２．前記訂正事項について検討すると、
　訂正事項ａは、請求項１の記載中の「遊技媒体を用いて遊技を行なう複数の遊技装置」とされた遊技装置について、そのあとの同じ遊技装置を指す語句として「当遊遊技装置」と記載されていたものを、これを文脈からして正しく解釈し得る「当該」なる語句に訂正するものであり、誤記の訂正に相当すると認められる。
　また、訂正事項ｂ、ｃは、上記訂正事項ａと同じ理由により、「当遊」を「当該」とする訂正は、誤記の訂正に相当すると認められる。
　そして、訂正事項ａ〜ｃは、願書に添付した明細書又は図面に記載した事項の範囲内であり、実質的に特許請求の範囲を拡張又は変更するものではない。
３．したがって、本件審判請求は、平成６年法改正前の特許法（平成５年改正法）第１２６条第１項ただし書き第２号を目的として、同条第１項ただし書き及び第２項の規定に適合する。
　よって、結論のとおり審決する。